【手続補正書】
【提出日】平成22年12月15日(2010.12.15)
【手続補正１】
【補正対象書類名】特許請求の範囲
【補正対象項目名】全文
【補正方法】変更
【補正の内容】
【特許請求の範囲】
【請求項１】
インクを吐出可能な複数のノズルが配列されたノズル列が、前記ノズルの配列方向に複数配置され、隣接する前記ノズル列の部分が互いにオーバーラップする記録ヘッドを用いて、記録媒体に画像を記録するインクジェット記録装置において、
前記隣接するノズル列の前記配列方向における記録位置のずれ量に応じて、前記オーバーラップするノズル列の部分による記録濃度を補正する濃度補正手段を備え、
前記濃度補正手段は、前記隣接するノズル列が前記配列方向において互いに離反する方向のずれ量が大きくなる程、前記オーバーラップするノズル列の部分による記録濃度を増加させ、前記隣接するノズル列が前記配列方向において互いに近接する方向のずれ量が大きくなる程、前記オーバーラップするノズル列の部分による記録濃度の増加量を減少させる
ことを特徴とするインクジェット記録装置。
【請求項２】
前記濃度補正手段は、前記ずれ量に応じて、前記オーバーラップするノズル列の部分によって記録される記録ドットの密度に対応する記録デューティーを補正することを特徴とする請求項１に記載のインクジェット記録装置。
【請求項３】
前記濃度補正手段は、前記オーバーラップするノズル列の部分において、前記隣接するノズル列の一方の記録デューティーを前記配列方向の一方側に向かって徐々に減少させ、かつ前記隣接するノズル列の他方の記録デューティーを前記配列方向の一方側に向かって徐々に増加させることを特徴とする請求項２に記載のインクジェット記録装置。
【請求項４】
前記記録ヘッドは、複数のチップを含む記録ヘッドであり、
前記隣接するノズル列は異なるチップに形成されている
ことを特徴とする請求項１から３のいずれかに記載のインクジェット記録装置。
【請求項５】
前記記録ヘッドは、前記配列方向に配列される複数の記録ヘッドを含み、
前記隣接するノズル列は異なる記録ヘッドに形成されている
ことを特徴とする請求項１から３のいずれかに記載のインクジェット記録装置。
【請求項６】
前記記録ヘッドを用いて、前記ずれ量を検出するためのテストパターンを前記記録媒体に記録するための制御手段を備え、
前記濃度補正手段は、前記テストパターンの記録結果に応じて、前記オーバーラップするノズル列の部分による記録濃度を補正する
ことを特徴とする請求項１から５のいずれかに記載のインクジェット記録装置。
【請求項７】
前記テストパターンの記録結果に基づいて、前記ずれ量を検出する検出手段を備えることを特徴とする請求項６に記載のインクジェット記録装置。
【請求項８】
前記記録ヘッドを用いて、前記オーバーラップするノズル列の部分による記録濃度と、前記オーバーラップするノズル列の部分以外の部分による記録濃度と、を比較するためのテストパターンを前記記録媒体に記録するための制御手段を備え、
前記濃度補正手段は、前記テストパターンの記録結果に応じて、前記オーバーラップするノズル列の部分による記録濃度を補正する
ことを特徴とする請求項１から５のいずれかに記載のインクジェット記録装置。
【請求項９】
前記テストパターンの記録結果に基づいて、前記濃度補正手段による記録濃度の補正値を決定する決定手段を備えることを特徴とする請求項８に記載のインクジェット記録装置。
【請求項１０】
インクを吐出可能な複数のノズルが配列されたノズル列が、前記ノズルの配列方向に複数配置され、隣接する前記ノズル列の部分が互いにオーバーラップする記録ヘッドを用いて、記録媒体に画像を記録するインクジェット記録装置と、
前記隣接するノズル列の前記配列方向における記録位置のずれ量に応じて、前記オーバーラップするノズル列の部分による記録濃度を補正する制御装置と、
を含み、
前記制御装置は、前記隣接するノズル列が前記配列方向において互いに離反する方向のずれ量が大きくなる程、前記オーバーラップするノズル列の部分による記録濃度を増加させ、前記隣接するノズル列が前記配列方向において互いに近接する方向のずれ量が大きくなる程、前記オーバーラップするノズル列の部分による記録濃度の増加量を減少させることを特徴とするインクジェット記録システム。
【請求項１１】
インクを吐出可能な複数のノズルが配列されたノズル列が、前記ノズルの配列方向に複数配置され、隣接する前記ノズル列の部分が互いにオーバーラップする記録ヘッドを用いて、記録媒体に画像を記録するインクジェット記録方法において、
前記隣接するノズル列の前記配列方向における記録位置のずれ量に応じて、前記オーバーラップするノズル列の部分による記録濃度を補正し、前記隣接するノズル列が前記配列方向において互いに離反する方向のずれ量が大きくなる程、前記オーバーラップするノズル列の部分による記録濃度を増加させ、前記隣接するノズル列が前記配列方向において互いに近接する方向のずれ量が大きくなる程、前記オーバーラップするノズル列の部分による記録濃度の増加量を減少させる
ことを特徴とするインクジェット記録方法。
【手続補正２】
【補正対象書類名】明細書
【補正対象項目名】００１０
【補正方法】変更
【補正の内容】
【００１０】
本発明のインクジェット記録装置は、インクを吐出可能な複数のノズルが配列されたノズル列が、前記ノズルの配列方向に複数配置され、隣接する前記ノズル列の部分が互いにオーバーラップする記録ヘッドを用いて、記録媒体に画像を記録するインクジェット記録装置において、前記隣接するノズル列の前記配列方向における記録位置のずれ量に応じて、前記オーバーラップするノズル列の部分による記録濃度を補正する濃度補正手段を備え、前記濃度補正手段は、前記隣接するノズル列が前記配列方向において互いに離反する方向のずれ量が大きくなる程、前記オーバーラップするノズル列の部分による記録濃度を増加させ、前記隣接するノズル列が前記配列方向において互いに近接する方向のずれ量が大きくなる程、前記オーバーラップするノズル列の部分による記録濃度の増加量を減少させることを特徴とする。
【手続補正３】
【補正対象書類名】明細書
【補正対象項目名】００１１
【補正方法】変更
【補正の内容】
【００１１】
本発明のインクジェット記録システムは、インクを吐出可能な複数のノズルが配列されたノズル列が、前記ノズルの配列方向に複数配置され、隣接する前記ノズル列の部分が互いにオーバーラップする記録ヘッドを用いて、記録媒体に画像を記録するインクジェット記録装置と、前記隣接するノズル列の前記配列方向における記録位置のずれ量に応じて、前記オーバーラップするノズル列の部分による記録濃度を補正する制御装置と、を含み、前記制御装置は、前記隣接するノズル列が前記配列方向において互いに離反する方向のずれ量が大きくなる程、前記オーバーラップするノズル列の部分による記録濃度を増加させ、前記隣接するノズル列が前記配列方向において互いに近接する方向のずれ量が大きくなる程、前記オーバーラップするノズル列の部分による記録濃度の増加量を減少させることを特徴とする。
【手続補正４】
【補正対象書類名】明細書
【補正対象項目名】００１２
【補正方法】変更
【補正の内容】
【００１２】
本発明のインクジェット記録方法は、インクを吐出可能な複数のノズルが配列されたノズル列が、前記ノズルの配列方向に複数配置され、隣接する前記ノズル列の部分が互いにオーバーラップする記録ヘッドを用いて、記録媒体に画像を記録するインクジェット記録方法において、前記隣接するノズル列の前記配列方向における記録位置のずれ量に応じて、前記オーバーラップするノズル列の部分による記録濃度を補正し、前記隣接するノズル列が前記配列方向において互いに離反する方向のずれ量が大きくなる程、前記オーバーラップするノズル列の部分による記録濃度を増加させ、前記隣接するノズル列が前記配列方向において互いに近接する方向のずれ量が大きくなる程、前記オーバーラップするノズル列の部分による記録濃度の増加量を減少させることを特徴とする。